(57)【特許請求の範囲】
【請求項１】
座部の前方にフットレストフレームを設けたものにおいて、前記フットレストフレームに、前後にスライド自在な足載せ台を設け、該足載せ台に一端側を取り付けられた安全カバーの他端側を、後方へ付勢する付勢手段を介して座部の裏側に取り付け、前記座部の左右両側に設けられたフレーム間に、上下２本の補強フレームを架設し、該補強フレーム間を前記安全カバーが通るようにして、安全カバーで前記足載せ台と座部との間を常時覆うようにしたことを特徴とするフットレスト付き椅子。
【請求項２】
前記補強フレームを、前記座部のフットレスト側に位置させたことを特徴とする請求項１に記載のフットレスト付き椅子。
【請求項３】
前記安全カバーの他端側には安全カバーの全幅にわたって補強材を設け、該補強材の上下方向の高さを、前記補強フレーム間の隙間より大きくしたことを特徴とする請求項１又は請求項２に記載のフットレスト付き椅子。
【発明の詳細な説明】
【０００１】
【発明の属する技術分野】
本発明は、フットレストフレームに、前後にスライド自在な足載せ台を有するフットレスト付き椅子に関するものである。
【０００２】
【従来の技術】
従来のフットレスト付き椅子として、特公平３−１５９１０号公報（Ａ６１Ｈ２３／０２）に、座部の前方に回動自在なフットレストフレームを設け、このフットレストフレームに、前後にスライド自在な足載せ台を設けると共に、この足載せ台と座部との間に連結シートを張って足載せ台を前に引き出したときに足載せ台と座部との間に空間があかないようにしたものが知られている。
【０００３】
しかしながら、連結シートをどのように取り付けているか詳細は何ら記載されておらず、仮に、連結シートを足載せ台と座部に固定した場合には、足載せ台を座部側に移動させると連結シートが弛んで足載せ台と座部間に挟まれ、しわや折り目ができ、連結シートが傷む虞がある。
【０００４】
【発明が解決しようとする課題】
本発明は、足載せ台と座部との間を最適に覆うことのできるフットレスト付き椅子を提供することを課題とする。
【０００５】
【課題を解決するための手段】
上記課題を解決するための手段は、座部の前方にフットレストフレームを設けたものにおいて、前記フットレストフレームに、前後にスライド自在な足載せ台を設け、この足載せ台に一端側を取り付けられた安全カバーの他端側を、後方へ付勢する付勢手段を介して座部の裏側に取り付け、座部の左右両側に設けられたフレーム間に、上下２本の補強フレームを架設し、この補強フレーム間を前記安全カバーが通るようにして、安全カバーで足載せ台と座部との間を常時覆うようにしたものである。
【０００６】
これにより、足載せ台を前後にスライドさせた際に、安全カバーを常時後方に引っ張った状態とすることができるので、足載せ台を前方から後方にスライドさせても安全カバーが弛むことがない。したがって、足載せ台と座部との間に安全カバーが挟まってしわが寄ったり、折り目ができたりして、安全カバーが傷むのを防止できる。
さらに座部の左右両側に設けられたフレーム間に、上下２本の補強フレームを架設し、この補強フレーム間に安全カバーを通しているので、安全カバーがねじれるのを補強フレームにより防止することができる。
【００１２】
また、前記補強フレームを、前記座部のフットレスト側に位置させたものである。
【００１３】
これにより、安全カバーがねじれるのを、より効果的に防止することができる。
【００１４】
また、前記安全カバーの他端側には安全カバーの全幅にわたって補強材を設け、この補強材の上下方向の高さを、前記補強フレーム間の隙間より大きくすることが望ましい。
【００１５】
これにより、補強材にて安全カバーを均一に後方へ引っ張ることができると共に、安全カバーが必要以上に前方に引っ張られて際に、補強材が補強フレーム間につかえて付勢手段がそれ以上変形するのを防止している。
【００１８】
【発明の実施の形態】
本発明の実施の形態であるフットレスト付き椅子を、図１乃至図１３に示す椅子式マッサージ機を例として説明する。ここでは、便宜上椅子に座った被施療者の足先側を前方、腰側を後方という。
【００１９】
図１は椅子の側面図で、背もたれ部１と、座部２と、フットレスト３と、座部２と背もたれ部１にわたってその左右両側に設けられた肘掛け部４と、これらを支持するフレーム機構より椅子本体が構成される。この背もたれ部１から座部２にわたってクッション１ａで覆われ、フットレスト３はクッション３ａで覆われている。
【００２０】
前記フレーム機構は、以下の構造になっている（図２参照）。５は前後方向に延びた全荷重を受けるベースフレームで、左右一対設けられ、この一対のベースフレーム５間には２本の連結フレーム６が架設されている。ベースフレーム５と連結フレーム６との溶着部分に隣接したベースフレーム５の上面より、左右各２本の支柱フレーム７がそれぞれ立設され、この支柱フレーム７上に座部２の骨組みとなる座部フレーム８が固着されている。この座部フレーム８は左右両側に一対の左右両側フレーム９が形成されており、この左右両側フレーム９間の前方側には、上下２本の補強フレーム１０（図８参照）が架設されて、座部フレーム８を補強している。
【００２１】
座部２の後方には、背もたれ部１が軸１１を支点として回動自在に軸支されており、その内部には椅子に座った被施療者の首筋から腰にかけて揉みマッサージ、叩きマッサージ、ローリングマッサージ等を行うマッサージ装置（図示せず）が内蔵されている。このマッサージ装置については周知のものであり、説明を省略する。
【００２２】
一方、座部２の前端には、フットレスト３の骨組みとなるフットレストフレーム１２が軸１３により回動自在に軸支されており、フットレストフレーム１２に、後述するマッサージユニット５２を有する足載せ台３０が設けられている。
【００２３】
前記背もたれ部１の下端と座部フレーム８の前方下面間は、背もたれ部１を起倒させるリクライニング機構１４が装備されている。リクライニング機構１４は、シリンダ１５（図１参照）とシリンダ１５内をモータ（図示せず）により移動するロッド１７で構成され、シリンダ１５の一端が背もたれ部１の下端に枢支されると共に、ロッド１７の一端が座部フレーム８に枢支され、ロッド１７がケース１５内へ収納される方向に動くことにより、背もたれ部１が倒れ、ロッド１７が逆方向に移動することにより背もたれ部１は起きる。
【００２４】
また、座部フレーム８の下面には支持フレーム２０が固定され、この支持フレーム２０には、フットレスト操作レバー２１が回動自在に支持され、このフットレスト操作レバー２１の操作軸２２にリンクレバー２３の一端が固定され、リンクレバー２３の他端には、リンクレバー２４の一端が軸２５により枢支され、このリンクレバー２４の他端が軸２６によりフットレストフレーム１２に枢支されている。前記操作軸２２にはアーム２７が固定されており、このアーム２７にガススプリング２８のエンド側が枢支され、ガススプリング２８のロッド側が連結フレーム６に枢支されている。
【００２５】
このガススプリング２８は、図１に示すようにフットレスト３が鉛直方向に位置して収納されている状態において、反時計方向に操作軸２２を回転させる方向に付勢し、収納状態を維持するようにしている。
【００２６】
この収納状態からフットレスト操作レバー２１を時計方向に回動することにより、フットレスト３は持ち上げられてゆき、前記両レバー２３、２４を連結する軸２５が、前記操作レバー２１の操作軸２２とリンクレバー２４の他端軸２６とを結ぶ線より上方へくると、フットレスト３は反時計方向に回動しようとし、この動きによって、図２の如くリンクレバー２４がリンクレバー２３の他端部に当接して、フットレスト３をこの位置にてセルフロック（自己ロック）する。この際に、ガススプリング２８は操作軸２２を時計方向に回転させようとし、このロック状態を安定して維持するようにしている。
【００２７】
前記フットレストフレーム１２は図３に示すように曲げ加工により断面がハット状に形成されており、その左右両側には角パイプ状に形成された前後方向に延びるガイド部３１が形成されている。
【００２８】
このフットレストフレーム１２の上方には、左右両端にガイド部３１を囲むようにスライド部３２が形成された前記足載せ台３０のスライドフレーム３３が設けられており、ガイド部３１の上面に設けられたジュラコン製の固定側スライド板３４上に支持されている。
【００２９】
また、スライドフレーム３３のスライド部３２内の下方には、ガイド部３１下端に当接するジュラコン製の移動側スライド板３５が設けられており、この移動側スライド板３５と前記固定側スライド板３４を案内面としてスライドフレーム３３を前後にスライド可能としている。この際、固定側スライド板３４を有するガイド部３１を、移動側スライド板３５を介してスライド部３２で挟持しているので、スライドフレーム３３が上方に抜けることなく、必要以上に上下にがたつかないようにしている。また、この移動側スライド板３５には溝３６が形成されており、この溝３６にガイド部３１の下端が挿入されることで、左右にがたつかないようにしている。尚、ここで、滑りやすいジュラコン上を摺動させることでスライドフレーム３３がフットレストフレーム１２上をスムーズにスライドできるようにしたが、ジュラコンに限定されるものではなく、滑りやすい材料であればよい。
【００３０】
上記フットレストフレーム１２の左右のガイド部３１とスライドフレーム３３の左右のスライド部３２との間には図４乃至図７に示すロック機構がそれぞれ設けられており、以下の構成となっている。便宜上、被施療者に対して右側のガイド部３１とスライド部３２の関係について説明するが、左側も同じである。
【００３１】
前記ガイド部３１の側面には被係止板３７が取り付けられており、この被係止板３７に、図５に示すように下方を開口する切り欠き３８が一定間隔で複数形成されている。
【００３２】
一方、被係止板３７が設けられたガイド部３１の側面と対向するスライド部３２の側面には、ロックレバー３９が軸４０にてシーソー状に枢支されている。このロックレバー３９の一端側には、被係止板３７の切り欠き３８に下方より係止される係止爪４１が形成される一方、他端側に、円柱状のピン４２が設けられている。
【００３３】
このロックレバー３９の下端とスライドフレーム３３に形成したバネ掛け４３との間には、軸４０より係止爪４１側に位置して引っ張りバネ４４が張設されており、この引っ張りバネ４４により、係止爪４１が切り欠き３８に係止される方向（上方）に付勢し、係止爪４１と切り欠き３８の係止状態を確実に保持するようにしている。また、この引っ張りバネ４４は、係止爪４１が切り欠き３８に係止された際に、スライドフレーム３３を固定側スライド板３４に引き寄せ、後述するマッサージユニット５２を駆動した時の振動により、スライドフレーム３３がフットレストフレーム１２上においてがたついて不快な音が発生するのを防止している。
【００３４】
ロックレバー３９が設けられたスライド部３２側面の後端側にはロックレバー３９を揺動させる操作レバー４５が軸４６にて枢支されている。この操作レバー４５には軸４６より上方に位置し、内部に前記ピン４２が位置する逆三角形状の操作穴４７が形成されており、操作穴４７の前後の斜面４７ａ、４７ｂをピン４２に摺動させてピン４２を上方に移動させ、ロックレバー３９を、係止爪４１が切り欠き３８から離れる方向（係止状態が解除される方向）に揺動させる。
【００３５】
また、操作レバー４５の軸４６より前方側にはスライドフレーム３３に形成したバネ掛け４８との間に圧縮バネ４９が設けられており、操作レバー４５が前後どちらに揺動しても図５に示すようにピン４２が操作穴４７の下端に位置する通常状態の位置（中間位置）に戻るようにしている。
【００３６】
一方、左右の各操作レバー４５の後端側は連結部５０にて連結されている。この連結部５０の左右両側には足載せ台３０より上方に突出して操作部５１が形成されており、この操作部５１を手で把持して操作レバー４５を操作できるようにしている。
【００３７】
前記スライドフレーム３３には、図３に示すように中央に形成された開口３３ａより下方に突出してマッサージユニット５２が設けられていており、その下方をカバー５３により覆っている。このマッサージユニット５２は、駆動部５４により図２に示すように軸５５を中心にレバー５６を揺動させ、このレバー５６に軸５７にて回動自在に枢支されたアーム５８を揺動させる。このアーム５８の動きにより、アーム５８の前後両側に設けられたローラ５９を介して被施療者のふくらはぎをマッサージするようになっている。
【００３８】
このマッサージユニット５２は前記開口３３ａより上方に位置するスライドベース６０に取り付けられている。このスライドベース６０は前記開口３３ａの周縁に設けられた支持板６１に支持されると共に、この支持板６１と押さえ板６２により摺動可能に挟持されている。また、スライドベース６０は駆動部５４によりリンク機構８１を介して前後に移動できるようになっており、マッサージする箇所を変えられるようにしている。また、マッサージユニット５２への電源線や信号線等の配線６３は、足載せ台３０の後端と後述する安全カバー６４の他端側で固定されている。これにより、フットレスト３の足載せ台３０をスライドさせたりフットレスト３を回動させたりしても配線６３が邪魔にならないようにしている。ここで、８０はスライドフレームの３３の上面に設けられてた上面カバーで、上部を前記クッション３ａで覆われる。
【００３９】
前記足載せ台３０のスライドフレーム３３の後端には図８に示すように足載せ台３０と座部２との間を覆う安全カバー６４の一端側が取り付けられている。この安全カバー６４は座部フレーム８の補強フレーム１０間を通るように設けられて足載せ台３０と補強フレーム１０との間でねじれないようになっていると共に、フットレストフレーム１２を下方に回動させた際に、補強フレーム１０の前端で支持される。
【００４０】
安全カバー６４の他端側は補強フレーム１０の後方側に位置すると共に、図１１に示すように左右両側に、座部フレーム８との間に安全カバー６４の付勢手段としての引っ張りバネ６５が張設されており、この引っ張りバネ６５により後方に付勢されている。また、安全カバー６４の他端側は袋状に形成され、この内部に安全カバー６４の幅とほぼ同じ長さの棒状の補強材６６が設けられており、引っ張りバネ６５の安全カバー６４を後方へ付勢する力が安全カバー６４に均一に働くようにしている。この補強材６６の直径は補強フレーム１０、１０の上下の間隔より大きく形成されており、安全カバー６４が必要以上に前方に引っ張られても、補強フレーム１０、１０に補強材６６がつかえて、引っ張りバネ６５がそれ以上伸びるのを防止している。
【００４１】
次に、足載せ台３０を、フットレストフレーム１２上を前後にスライドさせる方法について説明する。
【００４２】
足載せ台３０を前方に移動させて使用したい場合に、操作レバー４５の操作部５１を前方に操作すると、操作レバー４５の操作穴４７が前方に移動するように揺動する。操作穴４７が前方に移動すると操作穴４７の下端に位置するロックレバー３９のピン４２が操作穴４７の後部周縁４７ｂに押されてロックレバー３９が反時計方向に揺動し、他端側の係止爪４１が下方に移動して切り欠き３８から外れ、係止状態が解除される。
【００４３】
そして、更に操作部５１を前方に操作すると、ピン４２が操作穴４７の上部周縁４７ｃに当たり、ロックレバー３９と操作レバー４５が互いに回動できなくなり、操作レバー４５を前方側に操作する力によりスライドフレーム３３が前方にスライドするようになり、所望とする位置に足載せ台３０を合わせることができる。
【００４４】
最後に操作レバー４５から手を離し、係止爪４１を切り欠き３８の下方に位置させることで、圧縮バネ４９により操作レバー４５が通常位置に戻されると共に、引っ張りバネ４４によりに係止爪４１が上方に移動して切り欠き３８に係止され、足載せ台３０がフットレストフレーム１２に保持される。
【００４５】
また、足載せ台３０を後方に移動させて使用したい場合に、操作レバー４５の操作部５１を後方に操作すると、操作レバー４５の操作穴４７が後方に移動するように揺動する。操作穴４７が後方に移動すると操作穴４７の下端に位置するロックレバー３９のピン４２が操作穴４７の前部周縁４７ａに押され、前方に操作したときと同じ方向である反時計方向にロックレバー３９が揺動し、他端側の係止爪４１が下方に移動して切り欠き３８から外れ、係止状態が解除される。
【００４６】
そして、更に操作部５１を後方に操作すると、前方に操作したときと同様にピン４２が操作穴４７の上部周縁４７ｃに当たり、ロックレバー３９と操作レバー４５が互いに回動できなくなり、操作レバー４５を操作する力によりスライドフレーム３３が後方にスライドし、所望とする位置に合わせることができる。
【００４７】
最後に操作レバー４５から手を離し、係止爪４１を被係止板３７の切り欠き３８の下方に位置させることで、圧縮バネ４９により操作レバー４５が通常位置に戻されると共に、引っ張りバネ４４によりに係止爪４１が上方に移動して切り欠き３８に係止され、足載せ台３０がフットレストフレーム１２に保持される。
【００４８】
このように、操作レバー４５の操作部５１の操作により、足載せ台３０のフットレストフレーム１２への係止状態の解除と、足載せ台３０の位置変更の両方を行うことができ、操作性を向上できる。この際、前記係止状態の解除と足載せ台３０の位置変更とを操作レバー４５の同方向の操作にて行うことができるので、更に操作性を向上できる。また、操作レバー４５により前記係止状態の解除を行っているので、容易に係止状態を解除できると共に、足載せ台３０をスムーズにスライドさせることができ、この際の作業を安全に且つ容易に行うことができる。
【００４９】
また、上述のごとく操作レバー４５の操作部５１を足載せ台３０の後方側に設けたことで、図１２に示すように座部２に腰掛けた状態で操作部５１を操作できる。したがて、椅子から降りて操作する必要がなく、使い勝手を向上できる。
【００５０】
また、図１３に示すようにフットレスト３を下方に回動させて使用した場合において、足載せ台３０を下方に移動させる際に、足載せ台３０より突出する操作部５１を把持して係止状態を解除することができ、足載せ台３０の自重を支持しながら足載せ台３０を移動させることができる。したがって、係止状態を解除した際にその重みで一気に足載せ台３０が床面に向かって落下するのを確実に防止することができ、足載せ台３０や床面が傷つくのを防止できる。
【００５１】
ところで、上述のごとくして前後にスライド可能な足載せ台３０は、図８に示す座部２に近接する位置と図９の前方側の位置との間をスライドされ、これにともない足載せ台３０に一端側を固定された安全カバー６４が座部２から引き出されたり、座部２の下部に収納されたりする。収納される際に、安全カバー６４は他端側を引っ張りバネ６５により引っ張られながら足載せ台３０と共に座部２側に移動するので、安全カバー６４は弛むことがなく、安全カバー６４が足載せ台３０と座部２との間に挟まってしわが寄ったり、折り目ができたりして安全カバー６４が傷むのを防止できる。
【００５２】
尚、上記実施の形態において、足載せ台３０と座部２との間を覆う安全カバー６４を、その一端側を足載せ台３０のスライドフレーム３３に取り付けると共に他端側を後方に付勢する引っ張りバネ６５を介して座部フレーム８の裏側に取り付けたが、伸縮性を有する安全カバーを足載せ台３０と座部フレーム８の裏側に取り付けてもよい。
【００５３】
この場合、足載せ台３０を前後にスライドさせた際に安全カバーを伸縮させ、安全カバーが弛まない状態で足載せ台３０と座部２との間を覆うことができ、安全カバーが座部２と足載せ台３０との間に挟まってしわが寄ったり、折り目ができたりするのを防止できる。
【００５４】
また、前記安全カバー６４を引っ張りバネ６５にて後方に付勢するようにしたが、ゴム等の他の付勢手段により付勢されるようにしてもよい。
【００５５】
【発明の効果】
本発明の請求項１によれば、足載せ台を前後にスライドさせた際に、安全カバーを常時後方に引っ張った状態とすることができるので、安全カバーが足載せ台と座部との間に挟まれて、しわが寄ったり、折り目ができたりするのを防止できる。さらに安全カバーを上下２本の補強フレーム間に通しているので、安全カバーがねじれるのを補強フレームにより防止することができる。
【００５９】
本発明の請求項２によれば、安全カバーがねじれるのをより効果的に防止することができるので、安全カバーにしわが寄ったり、折り目ができたりするのをより確実に防止できる。
【００６０】
本発明の請求項３によれば、補強材にて安全カバーを均一に後方へ引っ張ることができると共に、安全カバーが必要以上に前方に引っ張られても補強材が補強フレームにつかえて付勢手段がそれ以上に変形するのを防止しているので、付勢手段が役目を果たさなくなるのを防止できる。
【図面の簡単な説明】
【図１】本発明の第１の実施の形態を示すフットレスト付き椅子の側面図である。
【図２】同フットレスト付き椅子のフットレストを上方に位置させた場合の要部側面図である。
【図３】同フットレスト付き椅子のフットレストの正面断面図である。
【図４】図３におけるＡ部詳細図である。
【図５】図３におけるＸ−Ｘ断面図である。
【図６】図５において操作部を前方に操作した場合の図である。
【図７】図５において操作部を後方に操作した場合の図である。
【図８】図２においてクッションとマッサージユニットを省略し、中央で破断した場合の側面図である。
【図９】図８において足載せ台を前方に移動させた場合の側面図である。
【図１０】同フットレスト付き椅子の足載せ台を前方に引き出した際の斜視図である。
【図１１】同フットレスト付き椅子の安全カバー近傍の斜視図である。
【図１２】同フットレスト付き椅子のフットレストを前方にスライドさせた場合の側面図である。
【図１３】同フットレスト付き椅子のフットレストを下方に回動させた状態で足載せ台を操作する場合の側面図である。
【符号の説明】
２      座部
１０      補強フレーム
１２      フットレストフレーム
３０      足載せ台
６３      配線
６４      安全カバー
６５      引っ張りバネ（安全カバーの付勢手段）
６６      補強材
【図１】
0003969929.tif 000002
【図２】
0003969929.tif 000003
【図３】
0003969929.tif 000004
【図４】
0003969929.tif 000005
【図５】
0003969929.tif 000006
【図６】
0003969929.tif 000007
【図７】
0003969929.tif 000008
【図８】
0003969929.tif 000009
【図９】
0003969929.tif 000010
【図１０】
0003969929.tif 000011
【図１１】
0003969929.tif 000012
【図１２】
0003969929.tif 000013
【図１３】
0003969929.tif 000014